(57)【要約】【課題】身体への装着感と冷却効率に優れた保冷具、および身体の触感と乾燥効率に優れたマットを提供する。【解決手段】保冷具１０は、ポリビニルアセタール樹脂等の樹脂製であり、柱状の外形を有する数百から数千個の多孔体１２と、これらの多孔体１２を包み、水が透過する透水穴２０を供える包装体１４とを有する。包装体１４の両端部には、紐１６が接続されている。紐１６には止め具１８が装着されている。この保冷具１０を水中に浸して水分を含ませ、身体の部位に装着すれば、多孔体１２中の水分の気化熱によってこの部位が冷却される。また、マットは、ポリビニルアセタール樹脂等の樹脂製であり、柱状の外形を有する複数の多孔体と、これらの多孔体を包み、水が透過する透水穴を供える包装体とを有する。【選択図】図１
2009101112.tif 000002
【特許請求の範囲】
【請求項１】
樹脂製であり、柱状の外形を有する複数の多孔体と、
前記複数の多孔体を包み、水が透過する透水穴を供える包装体と、
を有する保冷具。
【請求項２】
前記多孔体は、直方体の外形を有する請求項１記載の保冷具。
【請求項３】
前記多孔体の長さは、前記多孔体の幅の３倍以上である請求項１または２記載の保冷具。
【請求項４】
前記多孔体は、ポリビニルアセタール樹脂シートの端材を裁断して作製された請求項１から３のいずれか１項記載の保冷具。
【請求項５】
樹脂製であり、柱状の外形を有する複数の多孔体と、
前記複数の多孔体を包み、水が透過する透水穴を供える包装体と、
を有するマット。
【発明の詳細な説明】
【技術分野】
【０００１】  本発明は、身体の部位を冷却するのに適した保冷具、および水回りでの使用に適したマットに関するものである。
【背景技術】
【０００２】  分離独立した粒状の蓄熱材を外装袋内に多数個収納した蓄熱パックが知られている（特許文献１）。この蓄熱パックは、頭部、脚部、腕肩部などを冷却湿布等するためのものであり、外装袋内に収納される蓄熱材は球状粒子である。【０００３】
【特許文献１】特開平９−１７３３７３号公報
【発明の開示】
【発明が解決しようとする課題】
【０００４】  しかしながら、外装袋内部の蓄熱材に水分を吸収させ、その水分の気化熱によって身体の部位を冷却するタイプの保冷具に、上記蓄熱パックをそのまま適用した場合、球状粒子である蓄熱材は表面積が小さいため水分の気化効率が悪くなる。また、球状粒子である蓄熱材同士は密着しやすいため、この蓄熱パックを身体に装着した場合、蓄熱パックが身体に過度に接触し触感が悪くなる。【０００５】  本発明はこれらの問題点に鑑みて成されたものであり、身体への装着感と冷却効率に優れた保冷具を提供することを目的とする。また、この保冷具を発明する過程で、この保冷具は、身体への装着感と水分の気化効率、すなわち乾燥効率が優れることから、この保冷具の主要構成をマットに応用することを見出した。したがって、本発明は身体、特に足裏の触感と乾燥効率に優れたマットを提供することを目的とする。
【課題を解決するための手段】
【０００６】  本発明のある態様は、樹脂製であり、柱状の外形を有する複数の多孔体と、複数の多孔体を包み、水が透過する透水穴を供える包装体と、を有する保冷具である。多孔体は、直方体の外形を有していてもよい。多孔体の長さは、多孔体の幅の３倍以上であることが好ましい。また、多孔体は、ポリビニルアセタール樹脂シートの端材を裁断して作製されてもよい。【０００７】  本発明の他の態様は、樹脂製であり、柱状の外形を有する複数の多孔体と、複数の多孔体を包み、水が透過する透水穴を供える包装体と、を有するマットである。
【発明の効果】
【０００８】  本発明によれば、身体への装着感と冷却効率に優れた保冷具が得られる。また、本発明によれば、身体の触感と乾燥効率に優れたマットが得られる。すなわち、柱状の外形を有する多孔体を用いることにより、多孔体同士が密着し過ぎることなく、包装体内に適度な空間が形成される。この空間が、保冷具で保冷する部位やマットが触れる部位の触感の向上をもたらすと共に、水分の気化を促す。また、樹脂シートの端材を裁断して作製した材料を用いた保冷具によれば、廃棄物を有効利用することができる。
【発明を実施するための最良の形態】
【０００９】  図１は、本発明の実施の形態に係る保冷具１０を示す。保冷具１０は、複数の多孔体１２と、包装体１４と、紐１６と、止め具１８とを備える。【００１０】  多孔体１２は樹脂製であり、柱状の外形を有する。柱状とは、例えば、円柱、角柱、棒状のような細長い形状をいう。多孔体１２の材料として使用できる樹脂として、例えば、ポリビニルアセタール（以下「ＰＶＡ」という。）、ポリウレタン、ポリエチレン、ポリ塩化ビニル等が挙げられる。本実施の形態では、多孔体１２はＰＶＡ樹脂製である。ＰＶＡ樹脂の多孔物質は、吸水性および含水性に優れる上、含水時に適度な柔軟性を有するので、保冷具１０の多孔体１２の材料として好ましい。【００１１】  包装体１４は、複数、例えば、数百から数千個の多孔体１２を包み、水が透過する透水穴２０を備えている。なお、図１では、包装体１４の一部を現さず、その内部に存在する多孔体１２を模式的に現している（図１の点線円部分）。包装体１４が包む多孔体１２の数量は、保冷具１０を使用する身体の部位の形状または大きさ等に応じて適宜調整される。もちろん、使用する多孔体１２の数量が大きくなれば、包装体１４もそれに伴って大きくなる。【００１２】  包装体１４の材料としては、例えば、ポリエステル、ナイロン、綿、羊毛、絹、麻等が挙げられる。本実施の形態では、包装体１４はポリエステル製である。ポリエステルは、強度があり、耐摩耗性・耐久性・耐薬品性・耐油性に優れ、シワになりにくく、カビや細菌が繁殖しにくく、乾きやすく、肌触りがよい。したがって、包装体１４をポリエステル製とすることが好ましい。【００１３】  包装体１４の両端部には、紐１６が接続されている。紐１６は、伸縮自在な材料、例えばゴム製である。なお、紐１６は伸縮しない材料で作製されていてもよい。また、紐１６は、金属鎖、樹脂鎖であってもよい。【００１４】  紐１６には止め具１８が装着されている。止め具１８に設けられた突起部を押しながら、止め具１８を紐１６に沿って移動すれば、保冷したい身体の部位に合わせて、包装体１４と紐１６で囲まれる領域の大きさが適宜調整できる。この止め具１８は、一般的にストッパーと呼ばれている。【００１５】  なお、止め具１８は、略陸上トラック形状の平板の外形を有し、２個所に孔が設けられたものであってもよい。このような止め具は、一般的にループエンドと呼ばれる。このループエンドは、一方の面側から紐１６を通した後、他方の面側からその一方の面側に向かって紐１６を通して保冷具１０に装着する。ループエンドを持ちながら、紐１６を押したり引っ張ったりすることによって、包装体１４と紐１６で囲まれる領域の大きさが適宜調整できる。【００１６】  また、本発明では、保冷具１０に止め具１８を設けず、保冷具１０を身体の部位に当てた後、その部位に紐１６で保冷具１０を縛り付けることによって、保冷具１０を身体の部位に装着してもよい。【００１７】  次に、一例として、額部または首部を保冷する保冷具１０の製造方法について説明する。まず、ＰＶＡ樹脂シートを裁断機で柱状に裁断する。裁断されたＰＶＡ樹脂シートは、保冷具１０の多孔体１２として使用される。【００１８】  柱状の外形を有する多孔体１２を用いる���とにより、多孔体１２同士が、包装体１４の内部で密着し過ぎることなく、包装体１４内に適度な空間が形成される。包装体１４内に形成されたこの空間が、保冷する部位の触感の向上をもたらすと共に、水分の気化を促す。【００１９】  図２は、多孔体１２の外形の一例を示す。この多孔体１２は、底面が約１．５ｍｍ×約２ｍｍの略長方形で、高さが約１０ｍｍの略直方体（四角柱）の外形を有する。ここで、多孔体１２の長さＬは、この略直方体の高さに相当し約１０ｍｍである。多孔体１２の幅Ｗは、この略直方体の底面の最大長である略長方形の対角線の長さに相当し約２．５ｍｍである。多孔体１２が直方体の形状を有する場合、汎用の裁断機によって多孔体１２が大量に製造できるため、保冷具１０のコストダウンが図れる。【００２０】  多孔体１２の外形が直方体以外の場合には、多孔体１２の最も長い個所をその「長さ」とし、長さ方向と略直交する全ての断面の中で最大長をその「幅」とする。ここで、多孔体１２の長さは、その幅の３倍以上であることが好ましい。多孔体１２の長さをその幅の３倍以上とすることによって、より一層、保冷する部位の触感の向上をもたらす。【００２１】  図３は、ＰＶＡ樹脂シートの端材２２を示す。この端材２２は、ＰＶＡ樹脂シートから、例えば、金型洗浄スポンジ等の製品となる部分である製品部分２４を打ち抜いたものである。本来なら、この端材２２は廃棄処分される。しかし、新品のＰＶＡ樹脂シートに代えて、この端材２２を裁断して多孔体１２を作製し、保冷具１０の材料にすることによって、廃棄物の有効利用が図れる。【００２２】  こうして多孔体１２が用意できたら、止め具１８が装着された紐１６の両端が逢着されたポリエステルのメッシュ生地上に、上記方法で得られた数百から数千個の多孔体１２を配置する。そして、この生地で多孔体１２を包み込んだ後、多孔体１２が生地から飛び出さないように生地を逢着する。こうして、内部に多孔体１２を有し、約５ｃｍ×約２０ｃｍ×約３ｃｍの大きさの板状の外形を有する包装体１４を備える保冷具１０が得られる【００２３】  次に、保冷具１０の使用方法の一例について説明する。まず、保冷具１０を水中に浸し、多孔体１２に水分を充分含ませる。次に、保冷具１０を水中から取り出し、包装体１４から水分がしたたり落ちない程度にまで包装体１４を絞る。そして、身体の冷却したい部位、例えば、額、首、腕、脚、手、足等に保冷具１０を密着させた後、止め具１８を移動させて包装体１４と紐１６で囲まれる領域の大きさを適宜調整し、この部位に保冷具１０を固定する。【００２４】  固定された保冷具１０の多孔体１２に含まれる水分の気化熱によって、この部位が冷却される。しかも、多孔体１２が柱状の外形を有するため、包装体１４の内部で多孔体１２同士が密着し過ぎることなく、包装体１４内に適度な空間が形成され、保冷する部位の触感の向上をもたらすと共に、水分の気化を促す。【００２５】  多孔体１２の水分がある程度気化して、保冷具１０の冷却効率が落ちてきたら、保冷具１０を水中に再度浸して使用する。多孔体１２が耐久性に優れる樹脂製であるため、このように保冷具１０を繰り返して使用できる。【００２６】  次に、本発明の実施の形態に係るマットについて説明する。このマットは、樹脂製であり、柱状の外形を有する複数の多孔体と、前記複数の多孔体を包み、水が透過する透水穴を供える包装体と、を有する。この多孔体と包装体は、保冷具１０と同様のものが使用できる。【００２７】  すなわち、多孔体は直方体の外形を有していてもよい。多孔体の長さは、多孔体の幅の３倍以上であることが好ましい。また、多孔体は、ＰＶＡ樹脂シートの端材を裁断して作製されてもよい。包装体は、ポリエステル製が好ましい。【００２８】  本実施の形態に係るマットの多孔体と包装体を、保冷具１０と同様の多孔体と包装体とすることにより、身体、特に足裏の触感と乾燥効率に優れたマットが得られる。多孔体が柱状の外形を有するため、包装体の内部で多孔体同士が密着し過ぎることなく、包装体内に適度な空間が形成され、身体、特に足裏の触感の向上をもたらすと共に、多孔体の水分の気化、すなわち多孔体の乾燥が促されるからである。【００２９】  本実施の形態に係るマットは、風呂上りに使用するマット、すなわちバスマット、台所で使用するマット、すなわちキッチンマット、トイレで使用するマット、すなわちトイレマット等の水回りの足拭きマットとして使用することが好ましい。また、浴室内で使用することもできる。【００３０】  例えば、バスマットとして使用する場合、家族のある者が使用した後、他の者が使用するときには、マットの乾燥が進んでいるため、他の者の足裏の水分を吸収しやすい。また、他の者は、乾燥が進んだマットを使用できるので、マットが水分を含むことによる不快感が余りない。
【実施例】
【００３１】  多孔体１２として、ＰＶＡ樹脂の直方体（３ｍｍ×３ｍｍ×９ｍｍ）である試料１と、ＰＶＡ樹脂の立方体（一辺が３ｍｍ）である試料２を用いて、包装体１４内に形成される空間を評価する試験を行った。【００３２】  まず、２つの２００ｍＬビーカに、試料１を１０ｇ、試料２を１０ｇそれぞれ入れた。試料１が入ったビーカは、容量約１６０ｍＬの高さまで試料１が充填された。一方、試料２が入ったビーカは、容量約１２０ｍＬの高さまで試料２が充填された。【００３３】  次に、この２つのビーカに、水９０ｇをそれぞれ加えた。その結果、試料１が入ったビーカは、容量約２１０ｍＬの高さまで試料１が増量した。一方、試料２が入ったビーカは、容量約１６０ｍＬの高さまで試料２が増量した。【００３４】  この結果より、多孔体が細長い直方体の外形を有する場合は、多孔体が立方体の外形を有する場合を比べて、乾燥時および水分吸収時の双方で、見かけ上の体積が大きいことが分かった。したがって、細長い直方体の外形を有する多孔体を用いた保冷具では、立方体の外形を有する多孔体を用いた保冷具の場合と比べて、包装体内に形成される空間が大きくなり、水分がより気化しやすくなる。すなわち、細長い直方体の外形を有する多孔体を用いた保冷具は、立方体の外形を有する多孔体を用いた保冷具より冷却効率に優れるといえる。また、細長い直方体の外形を有する多孔体を用いたマットは、立方体の外形を有する多孔体を用いたマットより乾燥効率に優れるといえる。【００３５】  また、細長い直方体の外形を有する多孔体を用いた保冷具では、立方体の外形を有する多孔体を用いた保冷具の場合と比べて、包装体内に形成される空間が大きくなるため、保冷する部位の触感の向上をもたらす。この触感の向上は、保冷具の水分の含有状態に影響されない。つまり、細長い直方体の外形を有する多孔体を用いた保冷具は、乾燥している場合でも、水分を吸収している場合でも、身体への装着感が優れる。また、細長い直方体の外形を有する多孔体を用いたマットは、乾燥している場合でも、水分を吸収している場合でも、身体の触感が優れる。【００３６】  以上より、柱状、すなわち、細長い形状の外形を有する多孔体を用いた保冷具は、立方体や球体のような外形を有する多孔体を用いた保冷具と比べて、身体への装着感と冷却効率が優れていると考えられる。また、柱状、すなわち、細長い形状の外形を有する多孔体を用いたマットは、立方体や球体のような外形を有する多孔体を用いたマットと比べて、身体の触感と乾燥効率が優れていると考えられる。
【図面の簡単な説明】
【００３７】
【図１】本発明の実施の形態に係る保冷具の外観図である。
【図２】本発明の実施の形態に係る多孔体の外観図である。
【図３】ＰＶＡ樹脂シートの端材の外観図である。
【符号の説明】
【００３８】  １０  保冷具、    １２  多孔体、    １４  包装体、    １６  紐、    １８  止め具、    ２０  透水穴、    ２２  端材、    ２４  製品部分
【図１】
2009101112.tif 000003
【図２】
2009101112.tif 000004
【図３】
2009101112.tif 000005